【誤訳訂正書】
【提出日】平成23年11月21日(2011.11.21)
【誤訳訂正１】
【訂正対象書類名】特許請求の範囲
【訂正対象項目名】全文
【訂正方法】変更
【訂正の内容】
【特許請求の範囲】
【請求項１】
ヘッド部分と、このヘッド部分から延びたシャフトとを備え、このシャフトは、ネジ付きでマルチローブ横断面形状を持つ部分を少なくとも有することを特徴とするロックボルト。
【請求項２】
シャフトのネジ付きでマルチローブ横断面形状を持つ部分は、複数の高い点を有する請求項１に記載のロックボルト。
【請求項３】
シャフトのネジ付きでマルチローブ横断面形状を持つ部分は、５つの高い点を有する請求項１に記載のロックボルト。
【請求項４】
脆いピンテールを更に備え、シャフトのネジ付きでマルチローブ横断面形状を持つ部分は、ヘッド部分と脆いピンテールとの間に配設される請求項１に記載のロックボルト。
【請求項５】
脆いピンテールは、環状リブを有する請求項１に記載のロックボルト。
【請求項６】
脆いピンテールは、シャフトのネジ付きでマルチローブ横断面形状を持つ部分と同じネジ部を有する請求項１に記載のロックボルト。
【請求項７】
ロックボルトは、カラーが、シャフトのネジ付きでマルチローブ横断面形状を持つ部分の上にスエージ加工可能であるように構成され、そしてシャフト上の高い点は、その後にカラーが振動してシャフトから緩むことがないようにする請求項１に記載のロックボルト。
【請求項８】
シャフトのネジ付き部分は、カラーが選択的に回転可能に取り外され、そしてロックボルト上に再設置され得るように構成されている請求項７に記載のロックボルト。
【請求項９】
シャフトのネジ付き部分は、スエージ加工されたカラーがシャフトから取り外されると、ネジ付きナットがロックボルト上に設置可能となるように構成されている請求項７に記載のロックボルト。
【請求項１０】
ロックボルトシステムであって、ロックボルトと、カラーとを備え、ロックボルトは、ヘッド部分と、このヘッド部分から延びたシャフトと有し、シャフトは、ネジ付きでマルチローブ横断面形状を持つ部分を少なくとも有し、カラーは、ロックボルトのシャフトのネジ付きでマルチローブ横断面形状を持つ部分の上にスエージ加工可能であることを特徴とするロックボルトシステム。
【請求項１１】
シャフトのネジ付きでマルチローブ横断面形状を持つ部分は、複数の高い点を有する請求項１０に記載のロックボルトシステム。
【請求項１２】
シャフトのネジ付きでマルチローブ横断面形状を持つ部分は、５つの高い点を有する請求項１０に記載のロックボルトシステム。
【請求項１３】
脆いピンテールを更に備え、シャフトのネジ付きでマルチローブ横断面形状を持つ部分は、ヘッド部分と脆いピンテールとの間に配設される請求項１０に記載のロックボルトシステム。
【請求項１４】
脆いピンテールは、環状リブを有する請求項１０に記載のロックボルトシステム。
【請求項１５】
脆いピンテールは、シャフトのネジ付きでマルチローブ横断面形状を持つ部分と同じネジ部を有する請求項１０に記載のロックボルトシステム。
【請求項１６】
シャフトのネジ付き部分は、カラーが選択的に回転可能に取り外され、そしてロックボルト上に再設置され得るように構成されている請求項１０に記載のロックボルトシステム。
【請求項１７】
シャフトのネジ付き部分は、スエージ加工されたカラーがシャフトから取り外されると、ネジ付きナットがロックボルト上に設置可能となるように構成されている請求項１０に記載のロックボルトシステム。
【請求項１８】
カラーは、円筒形の透孔を有する請求項１０に記載のロックボルトシステム。
【請求項１９】
カラーは、シャフトのネジ付きでマルチローブ横断面形状を持つ部分に対応した多面の透孔を有する請求項１０に記載のロックボルトシステム。
【請求項２０】
ロックボルトのシャフトと、カラーは、カラーの透孔の一部分だけがロックボルト上にスエージ加工されるように構成されている請求項１０に記載のロックボルトシステム。
【誤訳訂正２】
【訂正対象書類名】明細書
【訂正対象項目名】０００８
【訂正方法】変更
【訂正の内容】
【０００８】
簡単に、そして前述の目的に少なくとも１つに従って、本発明の実施形態は、ロックボルトを提供する。このロックボルトは、ヘッド部分と、このヘッド部分から延びたシャフトとを備える。シャフトは、ネジ付きでマルチローブの輪郭を持つ部分を少なくとも有する。カラーは、マルチローブ型ネジ付き部分上にスエージ加工可能であり、ローブ又は高い点は、その後にカラーが振動してネジ部から緩むことがないようにする。マルチローブの輪郭を持つセクションもネジ付きであるという事実は、カラーが選択的に回転可能に取り外され、そしてロックボルト上に再設置され得るようにする（か、スエージ加工されたカラーが取り外されると、通常のネジ付きナットがロックボルト上に設置され得るようにする）。スエージ加工前に、カラーは初め、円筒孔、又はロックボルトのマルチローブ型部分の輪郭に概ね対応していることが好ましい多面孔を有することがある。ロックボルトは、脆いピンテールを有することもある。この場合、マルチローブ型ネジ付き部分は、ボルトのヘッド部分と脆いピンテールとの間に配設される。脆いピンテールは、環状リブを有するように設けることができる。その代わりに、脆いピンテールは、ロックボルトのマルチローブ型ネジ付き部分と同じネジ部を有するように設けることができる。
【誤訳訂正３】
【訂正対象書類名】明細書
【訂正対象項目名】００１５
【訂正方法】変更
【訂正の内容】
【００１５】
最初に、脆いピンテール１０６及びネジ付きシャフト１０４は、２以上のワークピース２８，３０に設けられた開口２４，２６を通して挿入され、そしてカラー１２０は、ボルト１００上に、ネジ付きシャフト１０４に近接して配置される。図８に示すように、カラー１２０は、最初にマルチローブ型又は多面の透孔１３０を有するように設けることができる。カラー１２０は、ロックボルト１００のマルチローブ型部分１０４の輪郭に対応した輪郭を持つ透孔１３０を有するように設けられることが好ましい。換言すれば、ロックボルト１００のマルチローブ型部分１０４が５つのローブ又は高い点を持つ場合（ＨＰ−５ネジのように）、カラー１２０は、同様に５つの高い点１３１を持つ透孔１３０を有するように設けられることが好ましい。カラー１２０がロックボルト１００のマルチローブ型部分１０４の輪郭に対応した輪郭を持つ透孔１３０を有するように設けられるという事実は、スエージ加工中のカラー１２０の均一な変形を与える。
【誤訳訂正４】
【訂正対象書類名】明細書
【訂正対象項目名】００１６
【訂正方法】変更
【訂正の内容】
【００１６】
加えて、カラー１２０がロックボルト１００のマルチローブ型部分１０４の輪郭に対応した輪郭を持つ透孔１３０を有するように設けられるという事実は、カラー１２０が設置に関して手助けできるようにする。具体的に、カラーは、ボルト上に配置され、そして僅かに回転される。この場合、締まりばめが部分１０４とカラーの透孔１３０との間に存在する。それから、設置ツールがピンテール１０６とカラー１２０に係合され、スエージ加工操作が行われる。この代わりに、カラー１２０は、図９に示すように、最初に円筒形や他の形状の透孔１３０を持つように設けられる。
【誤訳訂正５】
【訂正対象書類名】明細書
【訂正対象項目名】００１９
【訂正方法】変更
【訂正の内容】
【００１９】
カラー１２０がロックボルト上にスエージ加工され、且つロックボルト１００が完全に設置され、カラー１２０によって固定されると、カラー１２０は、ネジ付き部分１０４のマルチローブの輪郭によって、振動して脱落することがないようになる。具体的に、振動単独は、図１０に示すように、カラー１２０の低い点１２２がロックボルト１００のマルチローブ型部分１０４の高い点１１４を乗り越えることができるようにはしない。換言すれば、部分１０４のマルチローブの輪郭は、振動に応答した回転に抵抗しようとする所定量の有力トルクを与える。同時に、十分なトルクを与える工具を使用することによって（例えば、表面１５４に対しトルクを与える６面工具を使用することによって）、カラー１２０を意図的に単に取り外すことができる。この場合、カラー１２０の低い点１２２は、ロックボルト１００のマルチローブ型部分１０４の高い点１１４を乗り越える。
【誤訳訂正６】
【訂正対象書類名】明細書
【訂正対象項目名】００２２
【訂正方法】変更
【訂正の内容】
【００２２】
図１１は、本発明の代替実施形態に係るロックボルト２００を描いている。このロックボルト２００は、図５〜７に示されたロックボルト１００と良く似ている。唯一の違いは、脆いピンテール２０２が環状リブを有せずに、ロックボルト２００（又はロックボルト１００）のマルチローブ型部分１０４と同様のマルチローブ型ネジ付き輪郭を与える点である。このようにして、最終的にカラーを受け入れるロックボルトの部分１０４と、ピンテール部分２０２の双方が、同じネジ形成プロセスを使用して、同時にネジ切りされ得る。その代わりに、ピンテールは、螺旋状の非ローブ型ネジを持つように設けることができる。